(57)【要約】【課題】  本考案はＬＥＤ付きピックに関し、シリンダー錠の奥部を明るく照らすことができ、作業性に優れたＬＥＤ付きピックを提供することを目的とする。【解決手段】  請求項１に係るＬＥＤ付きピックは、ピック本体の先端側にＬＥＤを備え、ピック本体の後端に該ＬＥＤのＯＮ／ＯＦＦ装置を備えたことを特徴とする。  また、請求項３に係る考案は、請求項１または請求項２に記載のＬＥＤ付きピックに於て、前記ＬＥＤは、ピック本体を挟んで左右に一対装着されると共に、該ピック本体に当接するＬＥＤのレンズの当接側がピック本体の先端側形状に沿って形成されて、光の焦点がピック本体の先端から所定の距離を空けてピック本体の中心軸上に形成されることを特徴としている。【選択図】    図１
0003131078.tif 000002
【実用新案登録請求の範囲】
【請求項１】
ピック本体の先端側にＬＥＤを備え、ピック本体の後端に該ＬＥＤのＯＮ／ＯＦＦ装置を備えたことを特徴とするＬＥＤ付きピック。
【請求項２】
前記ＯＮ／ＯＦＦ装置は握持が容易な円柱状の外形形状からなり、その中心軸上に、ピック本体の他端側が挿着されていることを特徴とする請求項１に記載のＬＥＤ付きピック。
【請求項３】
前記ＬＥＤは、ピック本体を挟んで左右に一対装着されると共に、該ピック本体に当接するＬＥＤのレンズの当接側がピック本体の先端側形状に沿って形成されて、光の焦点がピック本体の先端から所定の距離を空けてピック本体の中心軸上に形成されることを特徴とする請求項１または請求項２に記載のＬＥＤ付きピック。
【考案の詳細な説明】
【技術分野】
【０００１】
本考案は、シリンダー錠のピッキングに用いるＬＥＤ付きピックに関する。
【背景技術】
【０００２】
従来、キーを使わずにシリンダー錠を開けるピッキングではテンションとピックが用いられているが、ピッキングは一方の手でテンションを掴み、他方の手で同時にピックを掴んで行うため、両手がふさがり、暗所や夜間での作業時に懐中電灯等の照明器具でシリンダー内を照らすことが難しいのが実情であった。
そこで、斯かる実情に鑑み特許文献１には、自動車のシリンダー錠のピッキングに用いるダブルサイドテンションに改良を加え、シリンダー内部を覗き乍らの作業を容易にするため、照明装置を備えたピンセット型のダブルサイドテンションが開示されている。
【０００３】
図２３乃至図２５は特許文献１に開示されたダブルサイドテンションを示し、このダブルサイドテンション１は、電池ケース３の一端側に、ピンセット型に形成された一対の側面視略Ｌ字状のテンション本体（Ｌ字形操作棒）５を固定し、該テンション本体５の両先端にＵ字状溝７を形成してこのＵ字状溝７に発光ダイオード（以下、「ＬＥＤ」という）９を埋め込むと共に、テンション本体５の内側の長手方向に電線１１の通る溝１３を設けたもので、電池ケース３の他端側に光源用ＯＮ／ＯＦＦ装置１５が設けられている。
【０００４】
また、前記ダブルサイドテンション１は、一方のテンション本体５にネジ１７が挿着されており、図２６乃至図２８に示すように両テンション本体５の先端をシリンダー錠１９の鍵穴２１部分に挿入してシャッター２３を押し開けた後、前記ネジ１７を締め付けると、テンション本体５がシリンダー２５内で押し広がってダブルサイドテンション１がシリンダー錠１９に固定されるように構成されている。
【０００５】
そして、斯かる状態でＬＥＤ９を発光させると、シリンダー２５内が照らされるようになっている。
【特許文献１】実用新案登録第３１００３４６号公報
【考案の開示】
【考案が解決しようとする課題】
【０００６】
而して、前記ダブルサイドテンションを使用すれば、シリンダー内がＬＥＤの光で明るく照らされるためピッキングが容易となるが、このダブルサイドテンションを携行し忘れたりＬＥＤが故障して発光しなくなった場合、所期の目的を達成することが不可能となる。
しかし、このような場合でも、ピック側に照明装置を備えていれば斯かる不具合は解消されるが、従来、ピックに照明装置を備えるという提案が未だなされていないのが実情であった。
【０００７】
本考案は斯かる実情に鑑み案出されたもので、シリンダー錠の奥部を明るく照らすことができ、作業性に優れたＬＥＤ付きピックを提供することを目的とする。
【課題を解決するための手段】
【０００８】
斯かる目的を達成するため、請求項１に係るＬＥＤ付きピックは、ピック本体の先端側にＬＥＤを備え、ピック本体の後端に該ＬＥＤのＯＮ／ＯＦＦ装置を備えたことを特徴とする。
そして、請求項２に係る考案は、請求項１に記載のＬＥＤ付きピックに於て、前記ＯＮ／ＯＦＦ装置は握持が容易な円柱状の外形形状からなり、その中心軸上に、ピック本体の他端側が挿着されていることを特徴とする。
【０００９】
また、請求項３に係る考案は、請求項１または請求項２に記載のＬＥＤ付きピックに於て、前記ＬＥＤは、ピック本体を挟んで左右に一対装着されると共に、該ピック本体に当接するＬＥＤのレンズの当接側がピック本体の先端側形状に沿って形成されて、光の焦点がピック本体の先端から所定の距離を空けてピック本体の中心軸上に形成されることを特徴としている。
【考案の効果】
【００１０】
請求項１に係る考案によれば、ピック本体の先端側に取り付けたＬＥＤの光がシリンダー錠の奥部を照らすので、従来のピックを用いたピッキングに比し作業性が著しく向上することとなった。
また、ピック先端に光が集中することにより、ピックを行う場所をピンポイントで照らすことができ、更に、照射が必要な場所も自在に照らすことが可能である。
【００１１】
そして、請求項２に係る考案は、ＬＥＤのＯＮ／ＯＦＦ装置を握持し易い円柱状の外形形状に形成したので、作業の疲労軽減が図れる。
更に、請求項３に係る考案によれば、ピック本体の先端側に取り付けた左右一対のＬＥＤの光が、ピック本体の先端から距離の位置で焦点が合ってシリンダー錠の奥部を照らすので、奥部の視認性が更に良好となる利点を有する。
【考案を実施するための最良の形態】
【００１２】
以下、本考案の実施形態を図面に基づいて詳細に説明する。
図１乃至図３は請求項１乃至請求項３の一実施形態に係るＬＥＤ付きピックを示し、図中、３１は円柱状に形成されたアルミ製のグリップで、図４に示すように該グリップ３１は、両端側の雄ネジ部３３，３５を除く外周にあやめローレット加工が施されて滑り止めが図られており、また、円柱状に形成されて作業時に握持し易くなっている。
【００１３】
そして、以下に記述するようにこのグリップ３１に、ＬＥＤ３７のＯＮ／ＯＦＦ装置が組み込まれており、グリップ３１は該ＯＮ／ＯＦＦ装置の一構成要件である。
図１，図６及び図７に示すように雄ネジ部３５が形成されたグリップ３１の後端側には、後述するＬＥＤ３７のバッテリ３９を収容するバッテリ収容部４１とこれよりも大径でグリップ３１の後端側に開口する接点収容部４３が形成されており、該接点収容部４３に、バッテリ３９に連結されたスプリング状の接点Ａがグリップ３１の中心軸上に配設されている。
【００１４】
一方、図１，図５及び図６に示すように雄ネジ部３３が形成されたグリップ３１の前端側には、バッテリ３９とＬＥＤ３７との間に接続されるリード線４５を挿通させる小径なリード線挿通孔４７がグリップ３１の中心軸上に開口しており、該リード線挿通孔４７は前記バッテリ収容部４１に連通している。そして、図６に示すように雄ネジ部３３には、リード線挿通孔４７に連通する２つのネジ孔４９，５１がグリップ３１の径方向に並設して前後に設けられており、図１に示すようにグリップ３１の前端側からリード線挿通孔４７に挿入されたピック本体５３の後端側が、ネジ孔４９，５１に締め込んだ止めネジ５５で固定されている。
【００１５】
図８及び図９に示すようにピック本体５３は、ステンレス材（ばね材）を用いて先端側が順次先細に形成された側面視略く字状からなり、前記止めネジ５５による固定を確実なものとするため、ピック本体５３は平板状に形成されている。
尚、ピック本体５３は図８の形状に限定されず、図１０及び図１１の如く先端に肉厚を同じくする薄肉な係止部５６を設けたピック本体５７等を用いてもよい。
【００１６】
そして、図１及び図３に示すように前記ピック本体５３に、ＬＥＤケース５９に装着された２つのＬＥＤ３７が取り付けられている。
ＬＥＤ３７は、略中央の折曲部６１で側面視略く字状に折曲するピック本体５３の該折曲部６１よりも先端側に、ピック本体５３の中心線を挟んで左右対称に取り付けられており、バッテリ３９に接続された２本のリード線４５が各ＬＥＤ３７の一方の端子（図示せず）に接続され、そして、各ＬＥＤ３７の他方の端子（図示せず）は、グリップ３１の前端の固定金具収容部６３内に止めネジ６５で固着されたリード線固定金具６７に、夫々、リード線６９で接続されている。
【００１７】
尚、図６中、７０は前記止めネジ６５のネジ孔で、グリップ３１の前端に設けた固定金具収容部６３に連通している。
そして、本実施形態に係るＬＥＤ付きピック７１の特徴として、ピック本体５３に当接するＬＥＤ３７のレンズ７３の当接側がピック本体５３の先端側形状に沿って削られており、斯様にレンズ７３の当接側をピック本体５３の先端側形状に沿って形成してピック本体５３に当接させることで、図３に示すように左右のＬＥＤ３７からの光の焦点が、ピック本体５３の先端から所定の距離Ｌを空けてピック本体５３の中心軸上に形成されている。
そして、この距離Ｌは、図示しないシリンダー錠の奥部を照らすに十分な寸法である。
【００１８】
更に、図１に示すようにグリップ３１の前端側外周に設けた雄ネジ部３３に、図１２乃至図１４の如く内周に雌ネジ部７５が設けられた有底筒状のアルミ製のカバー７７が着脱自在に螺着されており、その中央に設けたピック挿通孔７９に、グリップ３１に固着されたピック本体５３とリード線４５，６９が挿通している。そして、該カバー７７から露出するリード線４５，６９とＬＥＤ３７のレンズ７３の外周に亘ってゴム製の収縮チューブ８１が被覆されて、リード線４５，６９の保護と固定が図られている。
【００１９】
一方、既述したようにグリップ３１の後端側に開口する接点収容部４３に、図１の如くバッテリ３９に一端側が連結されたスプリング状の接点Ａが配設されているが、接点Ａの他端側は接点取付板８３を介してボタン８５に押圧支持されている。
即ち、図１に示すように接点Ａの反バッテリ側には、金属線材が密に巻回された筒状の取付部８７が設けられており、該取付部８７に接点取付板８３が装着されている。
【００２０】
図１５乃至図１７に示すように接点取付板８３は、前記取付部８７への取付孔８９が中央に形成された金属製の薄肉な円形状のプレートからなり、その外周に９０°の間隔を空けて４つの係止片９１が一体形成されている。
一方、図１８乃至図２０に示すようにボタン８５は、外周の周方向に係止突条９３が突設された有底筒状体からなり、グリップ３１と同様、軽量なアルミ材で形成されている。そして、その一端側に、前記係止片９１に対応して４つの係止凹部９５が設けられており、各係止凹部９５に接点取付板８３の係止片９１が係止している。
【００２１】
そして、前記ボタン８５を保持する筒状のキャップ９７が、グリップ３１の雄ネジ部３５に螺着されている。
図２１及び図２２に示すようにキャップ９７は、雄ネジ部３５に螺着可能な雌ネジ部９９が内周に形成された筒状体からなり、その一端側に設けたボタン挿通孔１０１に前記ボタン８５が挿通しているが、該ボタン挿通孔１０１の周縁部に設けた係止フランジ１０３の内側に前記係止突条９１が係止してボタン８５の脱落防止が図られている。
【００２２】
そして、図１に示すように接点Ａのバネ力で接点取付板８３が押圧されたボタン８５の係止突条９３が、雄ネジ部３５に螺着したキャップ９７の係止フランジ１０３の内側に当接して接点Ａが支持されており、図１の如く接点取付板８３とグリップ３１の後端部が離間しているとき、ＬＥＤ３７は非通電状態となっている。そして、図２に示すように接点Ａのバネ力に抗してキャップ９７を締め付けて接点取付板８３とグリップ３１の後端部が接触すると、バッテリ３９とＬＥＤ３７が通電状態に切り替わるように構成されている。
【００２３】
また、図１の如き非通電状態で、接点Ａのバネ力に抗してボタン８５を指で押圧操作して接点取付板８３とグリップ３１の後端部を接触させると、バッテリ３９とＬＥＤ３７が通電状態となり、そして、斯かる状態でボタン８５から指を離すと、接点Ａの復元力で図１の如く接点取付板８３とグリップ３１の後端部が離間して、ＬＥＤ３７が瞬時に非通電状態に戻るようになっている。
【００２４】
その他、図１に於て、１０５は接点Ａと反対側のバッテリ３９に取り付く接点Ｂとグリップ３１とを絶縁する薄肉な円形状の絶縁板で、その中央に設けた透孔１０７を接点Ｂの端子１０９が挿通しており、該端子１０９に、夫々、リード線４５が接続されている。
本実施形態に係るＬＥＤ付きピック７１はこのように構成されているから、該ＬＥＤ付きピック７１を用いて例えば自動車のシリンダー錠をピッキングするには、別途用意したテンションの先端をシリンダー錠の鍵穴部分に挿入してシャッターを押し開けた後、既述したように、図１の如きＬＥＤ付きピック７１の非通電状態から、接点Ａのバネ力に抗して図２の如くキャップ９７を締め付けて接点取付板８３とグリップ３１の後端部を接触させると、バッテリ３９とＬＥＤ３７が通電状態に切り替わってＬＥＤ３７が発光する。
【００２５】
この後、ピック本体５３をシリンダー錠内に挿入すれば、左右のＬＥＤ３７の光が、図３の如くピック本体５３の先端から距離Ｌの位置で焦点が合ってシリンダー錠の奥部を照らす。
そして、テンションでシリンダーに回転を加え乍ら、ピック本体５３でタンブラーを押し上げてシアラインを揃えればよく、この作業中、ＬＥＤ３７からの光がシリンダー錠の奥部を照らしている。
【００２６】
また、既述したように図１の非通電状態で、接点Ａのバネ力に抗してボタン８５を指で押圧操作して接点取付板８３とグリップ３１の後端部を接触させれば、ＬＥＤ３７が発光してシリンダー錠の奥部を照らし、ボタン８５から指を離すと、接点Ａの復元力で図１の如く接点取付板８３とグリップ３１の後端部が離間して、ＬＥＤ３７が瞬時に非通電状態に戻る。
【００２７】
このように本実施形態に係るＬＥＤ付きピック７１は、ピック本体５３の先端側に取り付けた左右一対のＬＥＤ３７の光が、ピック本体５３の先端から距離Ｌの位置で焦点が合ってシリンダー錠の奥部を照らすことができるように構成したので、従来のピックを用いたピッキングに比し作業性が著しく向上することは勿論、単に懐中電灯等でシリンダー錠内を照らす場合に比し、奥部の視認性が更に良好となる利点を有する。
【００２８】
また、ピック本体５３の先端に光が集中することにより、ピックを行う場所をピンポイントで照らすことができ、更に、照射が必要な場所も自在に照らすことが可能である。
そして、図２３のダブルサイドテンション１を携行し忘れたりＬＥＤ９が故障して発光しなくなった場合、本実施形態に係るＬＥＤ付きピック７１を用いることで、所期の目的を達成することが可能となる。
【００２９】
而も、本実施形態のＬＥＤ付きピック７１は、収縮チューブ８１でリード線４５，６９を被覆してピック本体５３に固定したので、作業時にリード線４５，６９が邪魔になることもないし、リード線４５，６９が物に引っ掛けて破損してしまうこともない。
また、グリップ３１を握持し易い円柱状の外形形状に形成して外周にあやめローレット加工を施したので、作業の疲労軽減が図れる。
【図面の簡単な説明】
【００３０】
【図１】請求項１乃至請求項３の一実施形態に係るＬＥＤ付きピックの非通電状態の断面図である。
【図２】ＬＥＤ付きピックの通電状態の断面図である。
【図３】ＬＥＤ付きピックの正面図である。
【図４】グリップの側面図である。
【図５】グリップの正面図である。
【図６】図５のVI−VI線断面図である。
【図７】グリップの背面図である。
【図８】ピック本体の側面図である。
【図９】ピック本体の正面図である。
【図１０】他のピック本体の側面図である。
【図１１】他のピック本体の正面図である。
【図１２】カバーの側面図である。
【図１３】カバーの正面図である。
【図１４】図１２のXIV−XIV線断面図である。
【図１５】接点取付板の正面図である。
【図１６】接点取付板の側面図である。
【図１７】図１５のXVII−XVII線断面図である。
【図１８】ボタンの側面図である。
【図１９】ボタンの正面図である。
【図２０】図１９のXX−XX線断面図である。
【図２１】キャップの側面図である。
【図２２】キャップの断面図である。
【図２３】特許文献１に開示されたダブルサイドテンションの全体斜視図である。
【図２４】図２３に示すダブルサイドテンションの要部拡大斜視図である。
【図２５】図２３のA−A線断面図である。
【図２６】ダブルサイドテンションの使用状態の説明図である。
【図２７】ダブルサイドテンションの使用状態の説明図である。
【図２８】ダブルサイドテンションの使用状態の説明図である。
【符号の説明】
【００３１】
３１  グリップ
３３，３５  雄ネジ部
３７  ＬＥＤ
３９  バッテリ
４１  バッテリ収容部
４３  接点収容部
４５，６９  リード線
４７  リード線挿通孔
５３，５７  ピック本体
５５，６５  止めネジ
５９  ＬＥＤケース
６３  固定金具収容部
６７  リード線固定金具
７１  ＬＥＤ付きピック
７３  レンズ
７５，９９  雌ネジ部
７７  カバー
７９  ピック挿通孔
８１  収縮チューブ
８３  接点取付板
８５  ボタン
９１  係止片
９３  係止突条
９５  係止凹部
９７  キャップ
１０１  ボタン挿通孔
１０３  係止フランジ
１０５  絶縁板
【図１】
0003131078.tif 000003
【図２】
0003131078.tif 000004
【図３】
0003131078.tif 000005
【図４】
0003131078.tif 000006
【図５】
0003131078.tif 000007
【図６】
0003131078.tif 000008
【図７】
0003131078.tif 000009
【図８】
0003131078.tif 000010
【図９】
0003131078.tif 000011
【図１０】
0003131078.tif 000012
【図１１】
0003131078.tif 000013
【図１２】
0003131078.tif 000014
【図１３】
0003131078.tif 000015
【図１４】
0003131078.tif 000016
【図１５】
0003131078.tif 000017
【図１６】
0003131078.tif 000018
【図１７】
0003131078.tif 000019
【図１８】
0003131078.tif 000020
【図１９】
0003131078.tif 000021
【図２０】
0003131078.tif 000022
【図２１】
0003131078.tif 000023
【図２２】
0003131078.tif 000024
【図２３】
0003131078.tif 000025
【図２４】
0003131078.tif 000026
【図２５】
0003131078.tif 000027
【図２６】
0003131078.tif 000028
【図２７】
0003131078.tif 000029
【図２８】
0003131078.tif 000030